(57)【要約】【課題】光源と導光板の位置関係のばらつきを低減するとともに、組立作業を容易に行うことができる照明装置及び電気光学装置を提供する。【解決手段】本発明の照明装置５０、７０は、光源５１、該光源に対向配置された端面を備えた導光板５２、及び、該導光板を保持する保持枠７０を有する照明装置であって、前記保持枠は、前記光源を支持する支持部を有するとともに、該支持部とは厚み方向の反対側に前記支持部に支持された前記光源を開放する開放構造を備え、前記支持部には、前記光源の後部側において前記支持部７０ｂから前記光源側へ突出し、前記光源を後部側から押圧して前記導光板側に付勢するとともに、その先端部分が前記光源とは反対側に開いた弾性部材７５が固定されていることを特徴とする。【選択図】図２
2008234962.tif 000002
【特許請求の範囲】
【請求項１】
光源、該光源に対向配置された端面を備えた導光板、及び、該導光板を保持する保持枠を有する面状照明装置であって、
前記保持枠は、前記光源を支持する支持部を有するとともに、該支持部に支持された前記光源を前記支持部とは厚み方向の反対側に開放する開放構造を備え、
前記支持部には、前記光源の後部側において当該支持部から前記光源側へ突出し、前記光源を後部側から押圧して前記導光板側に付勢するとともに、その先端部分が前記光源とは反対側に開いた弾性部材が固定されていることを特徴とする照明装置。
【請求項２】
前記弾性部材は、前記支持部の表面に沿って固定された板状の基端部と、該基端部から屈折して前記厚み方向に突出する板状の突出部とを有する一体の板状材で構成され、該突出部は前記光源とは反対側に屈曲して前記先端部分を構成していることを特徴とする請求項１に記載の照明装置。
【請求項３】
前記先端部分は前記光源とは反対側に折り返されてなる端縁構造を有することを特徴とする請求項２に記載の照明装置。
【請求項４】
前記弾性部材は金属素材よりなることを特徴とする請求項１乃至３のいずれか一項に記載の照明装置。
【請求項５】
前記弾性部材はインサート成形により前記保持枠と一体に構成されてなることを特徴とする請求項１乃至４のいずれか一項に記載の照明装置。
【請求項６】
前記導光板の前記端面に沿って幅方向に複数の前記光源が配列され、前記弾性部材は前記幅方向に延長された形状を有し、前記複数の光源を共に付勢していることを特徴とする請求項１乃至５のいずれか一項に記載の照明装置。
【請求項７】
前記光源が実装された配線基板をさらに有し、該配線基板は前記光源に対して前記開放構造の開放側に配置されていることを特徴とする請求項１乃至６のいずれか一項に記載の照明装置。
【請求項８】
前記保持枠には、前記光源の後部及び前記弾性部材に臨む開口部が前記開放構造の開放側とは反対側に設けられていることを特徴とする請求項１乃至６に記載の照明装置。
【請求項９】
光源、該光源に対向配置された光入射面を備えた導光板、及び、該導光板を保持する保持枠とを有する照明装置と、該照明装置から照射される照明光を受ける電気光学パネルと、を具備する電気光学装置であって、
前記保持枠は、前記光源を支持する支持部を有するとともに、該支持部に支持された前記光源を前記支持部とは厚み方向の反対側に開放する開放構造を備え、
前記支持部には、前記光源の後部側において当該支持部から前記光源側へ突出し、前記光源を後部側から押圧して前記導光板側に付勢するとともに、その先端部分が前記光源とは反対側に開いた弾性部材が固定されていることを特徴とする電気光学装置。
【請求項１０】
請求項９に記載の電気光学装置と、該電気光学装置を制御する制御手段とを具備することを特徴とする電子機器。
【請求項１１】
光源、該光源に対向配置された光入射面を備えた導光板、及び、該導光板を保持する保持枠を有する照明装置の製造方法であって、
前記保持枠を、前記光源を支持する支持部を有するとともに、該支持部に支持された前記光源を前記支持部とは厚み方向の反対側に開放する開放構造を備えたものとし、
前記支持部には、前記光源の後部側において当該支持部から前記光源側へ突出し、前記光源を後部側から押圧して前記導光板側に付勢するとともに、その先端部分が前記光源とは反対側に開いた弾性部材を固定し、
前記導光板を収容した前記保持枠に対し、前記開放構造の開放側より前記弾性部を弾性変形させながら前記光源を前記導光板と前記弾性部の間に挿入し、前記光源が前記弾性部の弾性力で前記導光板側に付勢された状態にすることを特徴とする照明装置の製造方法。
【請求項１２】
光源、該光源に対向配置された光入射面を備えた導光板、及び、該導光板を保持する保持枠とを有する照明装置と、該照明装置から照射される照明光を受ける電気光学パネルと、を具備する電気光学装置の製造方法であって、
前記保持枠を、前記光源を支持する支持部を有するとともに、該支持部に支持された前記光源を前記支持部とは厚み方向の反対側に開放する開放構造を備えたものとし、
前記支持部には、前記光源の後部側において当該支持部から前記光源側へ突出し、前記光源を後部側から押圧して前記導光板側に付勢するとともに、その先端部分が前記光源とは反対側に開いた弾性部材を固定し、
前記導光板を収容した前記保持枠に対し、前記開放構造の開放側より前記弾性部を弾性変形させながら前記光源を前記導光板と前記弾性部の間に挿入し、前記光源が前記弾性部の弾性力で前記導光板側に付勢された状態にすることを特徴とする電気光学装置の製造方法。
【発明の詳細な説明】
【技術分野】
【０００１】
本発明は照明装置、電気光学装置、電子機器、照明装置の製造方法、及び、電気光学装置の製造方法に係り、特に、光源と導光板を備えた面状照明装置に好適な構造に関する。
【背景技術】
【０００２】
一般に、表示パネルを構成する液晶表示体においては、液晶パネルを背後から照明する面状照明装置であるバックライトを用いている。このバックライトは、たとえば、ＬＥＤ等の光源と、該光源から放出された光を端面である光入射面より導入して表面である光出射面より出射するように構成された導光板とを備えたものが知られている。この場合、光源を導光板に対して正確な位置に配置しないと、導光板の光出射面上の光出射分布が偏ったり全体輝度が変動したりするので、光源及び導光板を樹脂製の保持枠に対して直接若しくは間接的に位置決めした状態で固定している。
【０００３】
上記のように光源と導光板との位置関係を規制する方法としては、光源であるＬＥＤを導光板に対して保持枠とは別体で分離された板バネ、保持枠の弾性壁、ＦＰＣ等の弾性力で圧接させる構造が知られている（たとえば、以下の特許文献１及び２参照）。
【特許文献１】特開２００６−１８５７２４号公報
【特許文献２】特開２００６−１６４５２１号公報
【発明の開示】
【発明が解決しようとする課題】
【０００４】
しかしながら、前述の照明装置においては、光源を弾性部材の弾性力で導光板側に押し付けることで、光源と導光板の位置関係を規制しているが、近年の液晶表示装置の薄型化に伴って照明装置も薄型化や小型化が強く要請されるようになってきており、このために保持枠とは分離された別体の板バネを組み込んだり、保持枠に弾性壁を作り込んだり、ＦＰＣを撓ませたりする空間を確保することが難しく、しかも、このような構造では薄型化及び小型化された照明装置の組立作業がきわめて困難になるため、手間がかかり、熟練者でなければ組立時のばらつきを充分に低減することが難しく、歩留まりが低下する虞がある。
【０００５】
そこで、本発明は上記問題点を解決するものであり、その課題は、光源と導光板の位置関係のばらつきを低減するとともに、組立作業を容易に行うことができる照明装置及び電気光学装置を実現することにある。また、他の課題は、薄型化及び小型化を妨げずに構成することができる照明装置及び電気光学装置を実現することにある。
【課題を解決するための手段】
【０００６】
斯かる実情に鑑み、本発明の照明装置は、光源、該光源に対向配置された端面を備えた導光板、及び、該導光板を保持する保持枠を有する照明装置であって、前記保持枠は、前記光源を支持する支持部を有するとともに、該支持部に支持された前記光源を前記支持部とは厚み方向の反対側に開放する開放構造を備え、前記支持部には、前記光源の後部側において当該支持部より前記光源側へ突出し、前記光源を後部側から押圧して前記導光板側に付勢するとともに、その先端部分が前記光源とは反対側に開いた弾性部材が固定されていることを特徴とする。
【０００７】
この発明によれば、保持枠の支持部より光源側へ突出し、光源を後部側から押圧して導光板側に付勢するとともに、その先端部分が光源とは反対側に開いた弾性部材を固定することにより、開放構造の開放側から光源を弾性部材の先端部分に押し付けることで、弾性部材を弾性変形させながら導光板と弾性部の間に挿入することができるので、装置が薄型化及び小型化しても組立作業を容易に行うことができる。また、この作業によって光源が弾性部材の弾性力で導光板側に付勢された状態とされるため、光源と導光板の位置関係のばらつきを確実に低減することができる。さらに、上記構造の弾性部材が保持枠に固定されていることで、保持枠とは分離した弾性部材を用いる場合、保持枠の一部に弾性部が作り込まれている場合、ＦＰＣを撓ませて組み込む場合などに比べて占有空間を少なくすることができるので、装置の薄型化及び小型化を妨げないという利点がある。
【０００８】
本発明において、前記弾性部材は、前記支持部の表面に沿って固定された板状の基端部と、該基端部から屈折して前記厚み方向に突出する板状の突出部とを有する一体の板状材で構成され、該突出部は前記光源とは反対側に屈曲して前記先端部分を構成していることが好ましい。これによれば、一体の板状材で構成できるので容易に製造できるとともに、保持枠を厚く構成しなくても弾性部材を保持枠に確実に固定でき、しかも、組立作業時において充分な弾性変形量を確保しつつ光源を確実に付勢する弾性力を得ることができる。
【０００９】
本発明において、前記先端部分は前記光源とは反対側に折り返されてなる端縁構造を有することが好ましい。これによれば、板状体よりなる弾性部材の先端部分を光源とは反対側に折り返した端縁構造とすることで、端縁の表面が滑らかな曲面状に構成されるので、光源を先端部分に押し付けて弾性部材を弾性変形させた際に、当該先端部分が光源に引っかかったり光源を損傷したりすることを防止できるとともに、研摩処理などを要することもなく容易に製造できる。
【００１０】
本発明において、前記弾性部材は金属素材よりなることが好ましい。弾性部材が金属素材よりなることで、小さな寸法や厚みでも充分な弾性力を得ることができるとともに、熱伝導性も高いために光源の放熱性を高めることが可能になる。
【００１１】
本発明において、前記弾性部材はインサート成形により前記保持枠と一体に構成されてなることが好ましい。弾性部材をインサート成形により保持枠と一体に構成することで、取り付け精度や構造の剛性を充分に確保できる。また、金属素材よりなる弾性部材を用いる場合には保持枠の剛性をさらに高めることが可能になる。
【００１２】
本発明において、前記導光板の前記端面に沿って幅方向に複数の前記光源が配列され、前記弾性部材は前記幅方向に延長された形状を有し、前記複数の光源を共に付勢していることが好ましい。これによれば、弾性部材が導光板の端面に沿って幅方向に延長された形状を有することで、複数の光源を簡易な構造で共に付勢することができるとともに、保持枠の当該幅方向の剛性を高めることができる。
【００１３】
本発明において、前記光源が実装された配線基板をさらに有し、該配線基板は前記光源に対して前記開放構造の開放側に配置されていることが好ましい。光源を実装する配線基板が光源に対して保持枠の厚み方向の開放側に配置されることにより、配線基板に実装された状態にある光源を当該開放側から導光板と弾性部材の間に挿入することができるので、組立作業がさらに容易になる。
【００１４】
本発明において、前記保持枠には、前記光源の後部及び前記弾性部材に臨む開口部が前記開放構造の開放側とは反対側に設けられていることが好ましい。これによれば、保持枠に設けられた開口部を通して光源の装着状態を確認することができる。特に、当該開口部が保持枠の厚み方向の開放側とは反対側に設けられることで、光源が配線基板に実装されている場合でも当該配線基板に妨げられずに光源の装着状態を確認することが可能になる。
【００１５】
次に、本発明の電気光学装置は、光源、該光源に対向配置された光入射面を備えた導光板、及び、該導光板を保持する保持枠とを有する照明装置と、該照明装置から照射される照明光を受ける電気光学パネルと、を具備する電気光学装置であって、前記保持枠は、前記光源を支持する支持部を有するとともに、該支持部に支持された前記光源を支持部とは前記厚み方向の反対側に開放する開放構造を備え、前記保持枠には、前記光源の後部側において前記保持枠の支持部より前記光源側へ突出し、前記光源を後部側から前記導光板側に付勢するとともに、その先端部分が前記光源とは反対側に開いた弾性部材が固定されていることを特徴とする。
【００１６】
また、本発明の電子機器は、上記の電気光学装置と、該電気光学装置を制御する制御手段とを具備することを特徴とする。
【００１７】
次に、本発明の照明装置の製造方法は、光源、該光源に対向配置された光入射面を備えた導光板、及び、該導光板を保持する保持枠を有する照明装置の製造方法であって、前記保持枠を、前記光源を支持する支持部を有するとともに、該支持部に支持された前記光源を前記支持部とは厚み方向の反対側に開放する開放構造を備えたものとし、前記支持部には、前記光源の後部側において当該支持部より前記光源側へ突出し、前記光源を後部側から前記導光板側に付勢するとともに、その先端部分が前記光源とは反対側に開いた弾性部材を固定し、前記導光板を収容した前記保持枠に対し、前記開放構造の開放側より前記弾性部を弾性変形させながら前記光源を前記導光板と前記弾性部の間に挿入し、前記光源が前記弾性部の弾性力で前記導光板側に付勢された状態にすることを特徴とする。
【００１８】
また、本発明の別の電気光学装置の製造方法は、光源、該光源に対向配置された光入射面を備えた導光板、及び、該導光板を保持する保持枠とを有する照明装置と、該照明装置から照射される照明光を受ける電気光学パネルと、を具備する電気光学装置の製造方法であって、前記保持枠を、前記光源を支持する支持部を有するとともに、該支持部に支持された前記光源を前記支持部とは厚み方向の反対側に開放する開放構造を備えたものとし、前記支持部には、前記光源の後部側において当該支持部から前記光源側へ突出し、前記光源を後部側から前記導光板側に付勢するとともに、その先端部分が前記光源とは反対側に開いた弾性部材を固定し、前記導光板を収容した前記保持枠に対し、前記開放構造の開放側より前記弾性部を弾性変形させながら前記光源を前記導光板と前記弾性部の間に挿入し、前記光源が前記弾性部の弾性力で前記導光板側に付勢された状態にすることを特徴とする。
【発明を実施するための最良の形態】
【００１９】
次に、添付図面を参照して本発明の実施形態について詳細に説明する。図１は本発明に係る実施形態である電気光学装置２００の組立構造を示す概略斜視図、図２はその分解斜視図、図３は図１に示すIII−III線に沿って切断した断面を示す拡大部分断面図である。この電気光学装置２００は、照明体５０と、この照明体５０と平面的に重ねて配置される電気光学パネル組立体６０と、上記照明体５０及び電気光学パネル組立体６０を直接若しくは間接的に保持する保持枠７０とを備えている。
【００２０】
照明体５０はＬＥＤ等の点状光源である１又は複数の光源５１と、該光源５１に対向する光入射面である端面及び光出射面である表面を備えた導光板５２と、導光板５２の表面上に配置された光学シート５４（たとえば、光拡散シートや集光シートなど）を有している。本発明においては特に限定されるものではないが、本実施形態では、照明体５０の導光板５２の表裏両面より光が出射され、表裏両側をそれぞれ照明できるように構成されている。
【００２１】
また、電気光学パネル組立体６０は、照明体５０の表面側に配置される第１電気光学パネル６０Ａと、照明体５０の裏面側に配置される第２電気光学パネル６０Ｂとを有している。第１電気光学パネル６０Ａと第２電気光学パネル６０Ｂはフレキシブル配線基板（ＦＰＣ）等よりなる配線基板６０Ｃで接続され、また、第１電気光学パネル６０Ａの基板張り出し部には駆動回路６８が実装されるとともに、外部より電源電位や映像信号等を入力するための別の配線基板６０Ｄが実装されている。本実施形態の場合、配線基板６０Ｄから入力された電源電位や映像信号等に基づいて第１電気光学パネル６０Ａに実装された駆動回路６８で駆動信号が生成され、これらの駆動信号が第１パネル６０Ａを直接駆動するとともに、上記配線基板６０Ｃを介して第２電気光学パネル６０Ｂを駆動するように構成されている。また、上記配線基板６０Ｄ上には上記照明体５０の一部を構成する光源５１が実装されている。なお、本実施形態では電気光学パネル組立体６０に２つのパネルが設けられているが、本発明の電気光学パネルは単一のパネル構造を有するものであってもよい。
【００２２】
図３に示すように、第１電気光学パネル６０Ａ及び第２電気光学パネル６０Ｂはそれぞれガラスやプラスチック等よりなる基板６１Ａ、６１Ｂと基板６２Ａ，６２Ｂとが貼り合わされてなり、その間に図示しない液晶が封入されたものである。一対の基板の外面上にはそれぞれ偏光板６６Ａ，６６Ｂ及び６７Ａ，６７Ｂが貼着等によって配置されている。
【００２３】
保持枠７０はたとえば白色素材で構成され、好ましくは樹脂等により一体成型された部品となっている。保持枠７０は上記照明体５０を保持するとともに照明体５０の表裏両側を開口する照明用開口部７０ａを有し、これによって照明体５０を組み込んだ状態で、表裏両側を照明できるようになっている。また、保持枠７０の光源５１側の外周部には第１電気光学パネル６０Ａと第２電気光学パネル６０Ｂの間に配置された支持部７０ｂを有している。光源５１は支持部７０ｂの表面側（第１電気光学パネル６０Ａ側）に配置され、保持枠７０は光源５１に対して支持部７０ｂとは反対側が開放された構造とされている。また、支持部７０ｂには複数の光源５１にそれぞれ対応する凹部を表面側に備えている。そして、保持枠７０は配線基板６０Ｄ上に実装された光源５１が導光板５２の端面（光入射面）に対向配置され、或いは、密接配置される態様で収容可能に構成される。
【００２４】
上記支持部７０ｂの導光板５２とは反対の外縁側には開口部７０ｃが形成され、この開口部７０ｃによって、保持枠７０が裏面側に開口した構造とされている。この開口部７０ｃは裏面側から当該開口部７０ｃを通して光源５１の後部を視認できるように構成されている。
【００２５】
また、支持部７０ｂの開口部７０ｃに臨む外縁にはステンレス鋼やアルミニウム等の金属素材で構成された板状体よりなる弾性部材７５が固定されている。この弾性部材７５は、支持部７０ｂの表面に沿って伸びる固定部７５ａと、この固定部７５ａに対して屈折し、支持部７０ｂから厚み方向の開放側である表面側に突出する突出部７５ｂとを備え、導光板５２の端面に沿った幅方向に延長された形状を備えている。この突出部７５ｂは、後述するように表面側の先端部分が外縁側（導光板１２とは反対側、すなわち開口部７０ｃ側）に開いた形状とされている。なお、照明体５０と保持枠７０は本発明の上記照明装置を構成する。
【００２６】
本実施形態では、図２及び図３に示すように、保持枠７０に保持された照明体５０の表裏両側に遮光性両面接着テープ８０をそれぞれ重ねるようにして接着固定し、これらの表裏両面上に電気光学パネル組立体６０の第１電気光学パネル６０Ａ及び第２電気光学パネル６０Ｂを組み込むようにしている。ここで、遮光性両面接着テープ８０は遮光シートを内包し、その表裏両面に粘着層を備えている。この遮光性両面接着テープ８０は保持枠７０内に照明体５０を保持する機能を有するとともに、第１電気光学パネル６０Ａ及び第２電気光学パネル６０Ｂを固定する機能を有している。そして、このように照明体５０及び電気光学パネル組立体６０を収容した保持枠７０に対してステンレス板等で構成された外枠（ベゼル）９０を表側から装着することによって、図１に示すように一体の両面表示体が構成される。
【００２７】
このような両面表示体では、電気光学パネルである第１電気光学パネル６０Ａと第２電気光学パネル６０Ｂが照明体５０の表裏両側に重ねて配置される必要があるため、組立作業時において各パネルを保持枠７０の表裏にそれぞれ組み込む際には比較的手間がかかる。本実施形態では、配線基板６０Ｄを裏側に折り返した状態で光源５１を保持枠７０の支持部７０ｂ上に配置した状態で、第１電気光学パネル６０Ａを保持枠７０の表面側に装着するとともに、配線基板６０Ｃを介して第２電気光学パネル６０Ｂを保持枠７０の裏側に回して保持枠７０の裏面側に装着する必要がある。
【００２８】
図４は、本実施形態の照明体５０を組み込み済みの保持枠７０、及び、これに組み込まれる前の第１電気光学パネル６０Ａを表面側から見た様子を示す概略平面図である。第１電気光学パネル６０Ａの外周部には遮光層６５Ａで構成された遮光領域が矩形枠状に構成され、この遮光層６５Ａで構成される遮光領域の内側が駆動領域（表示領域）６０Ｘとなっている。
【００２９】
図５は、本実施形態の照明体５０を組み込み済みの保持枠７０、及び、これに組み込まれる前の第２電気光学パネル６０Ｂを裏面側から見た様子を示す概略平面図である。第２電気光学パネル６０Ｂにおいてもその外周部には遮光層６５Ｂで構成された遮光領域が矩形枠状に構成され、この遮光層６５Ｂで構成される遮光領域の内側が駆動領域（表示領域）６０Ｙとなっている。
【００３０】
図６は電気光学装置２００の光源５１側の外周部を拡大して示す拡大部分断面図、図７は弾性部材７５の概略斜視図である。弾性部材７５は図７に示すように全体が板状材で構成され、保持枠７０の支持部７０ｂに固定された固定部７５ａと、この固定部７５ａから屈折して支持部７０ｂの表面から保持枠７０の厚み方向の開放側（表面側）に突出する突出部７５ｂとを有している。
【００３１】
ここで、図６に示すように保持枠７０の支持部７０ｂには上記弾性部材７５がインサート成形によって一体に固定されている。このようにインサート成形で保持枠７０に弾性部材７５を一体化することで、弾性部材７５の固定強度を高めることができるとともに、保持枠７０の剛性を向上させることができ、さらに、組立作業時の取り扱い性を良好にすることができる。弾性部材７５の固定部７５ａは支持部７０ｂの表面に沿って支持部７０ｂの内部に配置されているので、支持部７０ｂに対する取付剛性を確保しつつ保持枠７０の厚みの増大を回避可能となっている。上記のインサート成形による弾性部材７５の固定部７５ａと支持部７０ｂとの固定状態は、複数の光源５１が配列されてなる幅方向の全体にわたって確保されている。
【００３２】
なお、固定部７５ａに設けられた複数の開口孔７５ｄは支持部７０ｂの固定強度を高めるためのものである。本実施形態では上述のようにインサート成形によって弾性部材７５を保持枠７０と固定しているが、本発明はこのような固定方法に限らず、たとえば、固定部７５ａを支持部７０ｂに対して溶着、接着などにより固定してもよい。また、支持部７０ｂの表面上に上記開口孔７５ｄに対応するボスを形成しておき、当該ボスを開口孔７５ｄに挿通させた状態で溶着カシメを行うことによって固定部７５ａを支持部７０ｂの表面上に固定してもよい。
【００３３】
また、突出部７５ｂは固定部７５ａから屈折して保持枠７０の厚み方向の開放側（表面側）に突出し、途中（光源５１を押圧する部分）で外縁側（図示右側）に屈曲（屈折若しくは湾曲）することで、先端部分７５ｃが外側へ開いた構造となっている。先端部分７５ｃの端縁は外側へ折り返した構造とされ、これによって先端部分７５ｃの端縁面がなめらかな凸状の湾曲面となっている。
【００３４】
組立作業時において、配線基板６０Ｄ上に実装された光源５１は、保持枠７０の厚み方向の開放側（表面側）から導光板５２と弾性部材７５の間に挿入される。このとき、光源５１を押し込むと、光源５１の後部（図示右側部分）が弾性部材７５の外側へ開いた先端部分７５ｃに当接して突出部７５ｂを外側へ弾性変形させるので、光源５１が導光板５２と弾性部材７５の突出部７５ｂとの間に嵌入される。したがって、光源５１は弾性部材７５の弾性力によって導光板５２側へ付勢され、その結果、図示例では光源５１が導光板５２の端面に突き当てられた状態（密接した状態）とされ、正確に位置決めされる。なお、本発明においては光源５１が導光板５２に直接密接した状態となっているが、これとは異なり、光源５１と導光板５２の間に間隙を設けるために、光源５１が保持枠７０の一部などに設けられた図示しない規制部により規制された状態とされていてもよい。この状態でも、光源５１は弾性部材７５の弾性力で導光板５２側に付勢されることで当該規制部に対して当接した状態に位置決めされるので、光源５１と導光板５２の位置関係のばらつきが低減される効果は変わらない。また、光源５１が弾性支持されることで、装置全体の耐衝撃性も向上する。
【００３５】
本実施形態では、弾性部材７５を保持枠７０に固定することで、従来のように保持枠７０自体に弾性壁を設けたり、保持枠７０とは分離した板バネを設けたりする必要がなくなるので、余分な空間を必要としなくなることから、装置全体の薄型化及び小型化を図る上で好都合である。特に、本実施形態のように弾性部材７５が金属素材で構成されると、弾性力を確保しつつ弾性部材７５の厚みを０．０５〜０．１ｍｍ程度にまで薄くすることができるため、保持枠７０に対して弾性部材７５をきわめてコンパクトに装着できる。たとえば、合成樹脂よりなる保持枠７０に弾性変形可能な部分（弾性壁）を備えたを作り込む場合には、樹脂成形上の観点からみると弾性部分の厚みに関しては０．２〜０．３ｍｍ程度とすることが可能ではあるものの、この程度の厚みでは充分な弾性力や強度を得ることができないことは明らかである。
【００３６】
また、弾性部材７５は支持部７０ｂから厚み方向の開放側へと突出し、外側に開いた先端部分７５ｃを有する突出部７５ｂを設けることで、保持枠７０の厚み方向の開放側から光源５１を受け入れ可能となるので、組立作業がきわめて容易になる。さらに、同様の理由により光源５１が配線基板６０Ｄ上に実装されている場合でも、支障なく光源５１を挿入できる。
【００３７】
また、上記開口部７０ｃを設けることにより、当該開口部７０ｃを通して保持枠７０の裏側から斜め（図示矢印方向）に光源５１の後部を視認できるので、組立状態において光源５１の装着状態の確認を行うことも可能である。
【００３８】
また、本実施形態では、弾性部材７５が幅方向に延長された形状を有し、その全幅において保持枠７０に固定されているので、保持枠７０の幅方向の剛性を高めることができる。このような幅方向の剛性向上は、当該幅方向に配列された複数の光源５１と導光板５２の間の位置精度及びその均一性を確保することにつながるので、照明装置の発光輝度の再現性及び均一性の向上に大きな効果をもたらす。
【００３９】
図８は異なる形状の弾性部材７６を示す概略斜視図である。この弾性部材７６は上記実施形態とは異なり、固定部７６ａから分岐した、複数の光源５１に対応する複数の突出部７６ｂを備えている。この弾性部材７６では、上記の複数の突出部７６ｂが個別に光源５１を付勢する。なお、先端部分７６ｃは上記先端部分７５ｃと同様である。この場合には突出部７６ｂが幅方向に分割されているので、当該幅方向に見たときの保持枠７０の剛性向上の効果はそれほど得られないが、個々の光源５１に与える弾性力をより小さな領域にまで設定することができる。なお、光源５１ごとに対応する弾性部材をそれぞれ設けてもよいことはもちろんである。
【００４０】
［電子機器］
最後に、図９を参照して上記電気光学装置２００を搭載した電子機器の構成について説明する。図９は、電子機器内に搭載された表示制御回路と電気光学装置２００との関係を示す概略構成図である。ここで、電子機器としては、たとえば、モニタ装置、テレビジョン装置、電子時計、携帯電話機、携帯型情報端末などが挙げられ、特に、電気光学装置を表示体として搭載してなる各種の電子機器が例示される。
【００４１】
図９に示す電子機器は、表示情報出力源２９１と、表示情報処理回路２９２と、電源回路２９３と、タイミングジェネレータ２９４と、照明体５０への電力供給を行う光源制御回路２９５とを含む表示制御回路２９０を有する。この表示制御回路２９０は本発明の上記の制御手段に相当する。また、電気光学装置２００には、上述の構成を有する液晶表示パネルである電気光学パネル組立体６０と、この電気光学パネル組立体６０を駆動する駆動回路６８と、電気光学パネル組立体６０を照明するためのバックライトを構成する照明体５０とが設けられている。この駆動回路６８は、上記のように電気光学パネル組立体６０に直接実装されている電子部品で構成されるが、上記のような態様の他に、パネルの基板表面上に形成された回路パターン、或いは、パネルに導電接続された回路基板上に実装された半導体ＩＣチップ若しくは回路パターンなどによっても構成することができる。
【００４２】
表示情報出力源２９１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００４３】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路６８へ供給する。駆動回路６８は、走査線駆動回路、信号線駆動回路及び検査回路を含む。また、電源回路２９３は、上述の各構成要素にそれぞれ所定の電圧を供給する。
【００４４】
光源制御回路２９５は、電源回路２９３から供給される電圧に基づいて照明体５０の光源５１に電力を供給し、所定の制御信号に基づいて光源の点灯の有無及びその輝度等を制御するようになっている。
【００４５】
尚、本発明は、上述の図示例にのみ限定されるものではなく、本発明の要旨を逸脱しない範囲内において種々変更を加え得ることは勿論である。例えば、上記の実施形態においては、液晶表示パネルを備えた液晶表示装置について説明したが、本発明は、液晶表示装置に限らず、有機エレクトロルミネッセンス表示装置や電気泳動表示装置などの他の電気光学装置であっても構わない。
【図面の簡単な説明】
【００４６】
【図１】実施形態の電気光学装置の概略斜視図。
【図２】実施形態の電気光学装置の分解斜視図。
【図３】図１のIII−III線に沿った断面を示す拡大部分縦断面図。
【図４】第１電気光学パネルと保持枠の平面形状を示す平面説明図。
【図５】第２電気光学パネルと保持枠の平面形状を示す平面説明図。
【図６】電気光学装置の外周部の拡大部分縦断面図。
【図７】弾性部材の概略斜視図。
【図８】異なる形状の弾性部材の概略斜視図。
【図９】電子機器の内部構成を示す概略構成図。
【符号の説明】
【００４７】
２００…電気光学装置、５０…照明体、５１…光源、５２…導光板、５４…光学シート、６０…電気光学パネル組立体、６１Ａ，６２Ａ、６１Ｂ，６２Ｂ…基板、６５Ａ，６５Ｂ…遮光層、６６Ａ，６７Ａ、６６Ｂ，６７Ｂ…偏光板、６８…駆動回路、７０…保持枠、７０ａ…照明用開口部、７０ｂ…支持部、７０ｃ…開口部、７５…弾性部材、７５ａ…固定部、７５ｂ…突出部、７５ｃ…先端部分、８０…遮光性両面接着テープ、６０Ａ…第１電気光学パネル、６０Ｂ…第２電気光学パネル、６０Ｃ、６０Ｄ…配線基板
【図１】
2008234962.tif 000003
【図２】
2008234962.tif 000004
【図３】
2008234962.tif 000005
【図４】
2008234962.tif 000006
【図５】
2008234962.tif 000007
【図６】
2008234962.tif 000008
【図７】
2008234962.tif 000009
【図８】
2008234962.tif 000010
【図９】
2008234962.tif 000011